(57)【特許請求の範囲】
【請求項１】
温度調節された強制空気流を発生する手段と、前記温度調節された空気流が供給されて、車室に通じるダクトに接続可能な霜取り口、通風口、足元温風口とを備える、自動車の車室の暖房、換気、または空調装置であって、
前記空調装置は複数のモジュールを有し、前記複数のモジュールのそれぞれは実質的に同じ水平レベル方向にまとめてグループ化されて一つのユニットを構成し、また、前記複数のモジュールは、
−強制空気流を発生する少なくとも１つの換気モジュール（１４）と、
−車室の中央領域に設けられ、強制空気用の空気の入口（２８）と、空気流が通過可能な熱交換器（３２）（３４）（３６）と、少なくとも１つの側面の空気出口（４６ｄ）（４６ｇ）とを含む、少なくとも１つの熱モジュール（１２）と、
−少なくとも１つの側面の空気出口（４６ｄ）（４６ｇ）と、
−熱モジュールの側面の空気出口（４６ｄ）（４６ｇ）に接続された入口（５０）を有し、車室の選択された領域に通じる空気出口（５４）（５６）（５８）の間で、空気流を分配する分配手段を有する、少なくとも１つの分配モジュール（１６）と、
−暖房ラジエータ（３４）（３６）を通過した高温の空気流と、暖房ラジエータ（３４）（３６）を迂回した低温の空気流とを、可変の割合で混合した温度調節空気流を発生する調整手段（４４ｄ）（４４ｇ）（４８）と
を備え、
前記分配モジュール（１６）は、前記熱モジュール（１２）の右側及び左側の一方又は双方に配置されており、前記調整手段（４４ｄ）（４４ｇ）（４８）は、前記分配モジュール（１６）の中に配置されていることを特徴とする空調装置。
【請求項２】
熱モジュール（１２）は、それぞれ右側と左側に通じる２個の側面空気出口（４６ｄ）（４６ｇ）を有し、装置は、熱モジュールの右側と左側に設けられた２個の分配モジュール（１６）を有し、各分配モジュールは、熱モジュールの側面の空気出口（４６ｄ）（４６ｇ）に接続される入口（５０）を有することを特徴とする請求項１に記載の装置。
【請求項３】
換気モジュール（１４）は、熱モジュール（１２）の側で、車両の横方向（Ｙ軸）に配置されていることを特徴とする請求項１または２に記載の装置。
【請求項４】
換気モジュール（１４）は、熱モジュール（１２）の側で、車両の長手方向（Ｘ軸）に配置されていることを特徴とする請求項１または２に記載の装置。
【請求項５】
換気モジュール（１４）は、外気用または再循環空気用の空気の入口ブロック（１８）と、強制空気流を発生するタービン（２２）と、熱モジュールの入口（２８）に強制空気流を導く出口管（２６）とを有することを特徴とする請求項１〜４のいずれかに記載の装置。
【請求項６】
熱モジュール（１２）の入口（２８）は、このモジュールの下部に設けられており、熱モジュール（１２）は、下から上に連続して、空調エバポレータ（３２）と、少なくとも１つの暖房ラジエータ（３４）（３６）とを有することを特徴とする請求項１〜５のいずれかに記載の装置。
【請求項７】
熱モジュール（１２）は、エバポレータ（１２）の上に配置されて、高温の冷却液が流れる第１の暖房ラジエータ（３４）と、第１の暖房ラジエータ（３４）の上に配置されている電気式の第２の暖房ラジエータ（３６）とを有することを特徴とする請求項６に記載の装置。
【請求項８】
エバポレータ（３２）と暖房ラジエータ（３４）とは、それぞれ、水平位置に対して０°〜９０°の傾斜面に位置していることを特徴とする請求項６または７に記載の装置。
【請求項９】
エバポレータ（３２）は、水平位置に対して２０°〜４０°の傾斜面に位置していることを特徴とする請求項８に記載の装置。
【請求項１０】
調整手段は、右側と左側に、それぞれ、暖房ラジエータ（３４）（３６）の一部を通過した高温空気用の側管（３８ｄ）（３８ｇ）と、高温空気用の側管から分岐した低温空気用の側管（４０ｄ）（４０ｇ）と、高温空気用の側管に高温空気流を、また低温空気用の側管に低温空気流を、可変の割合で分配する側面の混合バルブ（４４ｄ）（４４ｇ）とを備え、前記高温空気用の側管（３８ｄ）（３８ｇ）および低温空気用の側管（４０ｄ）（４０ｇ）は、熱モジュールの側面出口（４６ｄ）（４６ｇ）を形成していることを特徴とする請求項１〜９のいずれかに記載の装置。
【請求項１１】
調整手段は、さらに、暖房ラジエータ（３４）（３６）の一部を通過した高温空気用の中央空気管（６６）と、中央空気管（６６）から分岐した低温空気用の中央空気管（７０）と、高温空気用の中央管（６６）に向かう空気流と低温空気用の中央管（７０）に入る空気流とを可変の割合で配分する中央の混合バルブ（７２）とを備え、２個の中央管（６６）（７０）は、熱モジュール（１２）の中央出口（７４）を形成し、この出口は、車室後方に温度調節空気流を分配する少なくとも１つの別の分配モジュール（１６）へ供給するようになっていることを特徴とする請求項９に記載の装置。
【請求項１２】
中央の混合バルブ（７２）は、熱モジュール（１２）に設けられていることを特徴とする請求項１１に記載の装置。
【請求項１３】
中央の混合バルブ（７２）は、別の分配モジュール（１６）に設けられていることを特徴とする請求項１１に記載の装置。
【請求項１４】
調整手段は、さらに、車室前方を供給する熱モジュール（１２）の１つまたは複数の側面出口（４６ｄ）（４６ｇ）に温度調節空気流を送る第１の位置（７３ａ）と、車室後方を供給する熱モジュール（１２）の中央出口（７４）に温度調節空気流を送る第２の位置（７３ｂ）との間で、移動可能な配分バルブ（７３）を備えていることを特徴とする請求項１１〜１３のいずれかに記載の装置。
【請求項１５】
暖房ラジエータ（３４）（３６）の下流に配置され、熱モジュールの側面出口（４６ｄ）（４６ｇ）にそれぞれ至る２個の側面出口チャンバ（１０８ｄ）（１０８ｇ）を有することを特徴とする請求項１〜１４のいずれかに記載の装置。
【請求項１６】
暖房ラジエータ（３４）の上流で、右側または左側に設けられた分配モジュール（１６）に、熱モジュール（１２）から取り出した低温空気流を直接導くための、少なくとも１つの低温空気用の側管（１１２ｄ）（１１２ｇ）を備えることを特徴とする請求項１５に記載の装置。
【請求項１７】
暖房ラジエータ（３４）（３６）の下流に配置されて、熱モジュール（１２）の中央出口に至り、車室後方に温度調節空気流を分配するための少なくとも１つの別の分配モジュール（１６）を有する中央出口チャンバを含むことを特徴とする請求項１５に記載の装置。
【請求項１８】
暖房ラジエータ（３４）の上流で、別の分配モジュール（７６）または冷却区画に熱モジュール（１２）から取り出した低温空気流を直接導くための、少なくとも１つの低温空気用の中央管を含むことを特徴とする請求項１５に記載の装置。
【請求項１９】
１つまたは複数の分配モジュール（１６）は、それぞれ、足元に通じる下部出口（５６）と、フロントガラス側に通じる上部出口（５４）と、正面に通じる少なくとも１つの中間出口（５８）とを有することを特徴とする請求項１〜１５のいずれかに記載の装置。
【請求項２０】
温度調節空気流を発生するために、暖房ラジエータ（３４）を通過した冷却液の流量、従って冷却液の温度に作用する調整手段（１０４）を備えることを特徴とする請求項１〜９のいずれかに記載の装置。
【請求項２１】
暖房ラジエータ（３４）（３６）の下流に配置され、熱モジュールの側面出口（４６ｄ）（４６ｇ）にそれぞれ至る２個の側面出口チャンバ（１０８ｄ）（１０８ｇ）を有することを特徴とする請求項２０に記載の装置。
【請求項２２】
暖房ラジエータ（３４）の上流で、右側または左側に設置された分配モジュール（１６）に、熱モジュール（１２）から取り出した低温空気流を直接導くための少なくとも１つの低温空気用の側管（１１２ｄ）（１１２ｇ）を有することを特徴とする請求項２１に記載の装置。
【請求項２３】
暖房ラジエータ（３４）（３６）の下流に配置されて、熱モジュール（１２）の中央出口に至り、温度調節空気流を車室後方に分配するための少なくとも１つの別の分配モジュール（１６）へ供給するようになっている中央出口チャンバを含むことを特徴とする請求項２１に記載の装置。
【請求項２４】
暖房ラジエータ（３４）の上流で、別の分配モジュール（１６）または冷却区画に熱モジュール（１２）から取り出した低温空気流を直接導くための少なくとも１つの冷却空気用の中央管を有することを特徴とする請求項２１に記載の装置。
【請求項２５】
一つまたは複数の分配モジュール（１６）は、それぞれ、足元に通じる下部出口（５６）と、フロントガラスに通じる上部出口（５４）と、正面に通じる中間出口（５８）とを有することを特徴とする請求項１〜２１のいずれかに記載の装置。
【請求項２６】
装置を構成するモジュール（１２）（１４）（１６）が、車両のクロスビーム（１２８）に組み込まれていることを特徴とする請求項１〜２５のいずれかに記載の装置。
【発明の詳細な説明】
【技術分野】
【０００１】
本発明は、自動車の車室用の暖房、換気、または空調装置に関する。
【背景技術】
【０００２】
このタイプの装置は、温度調節される強制空気流の発生手段と、前記温度調節される空気流が供給されて、車室に通じるダクトに接続可能な霜取り口、通風口、足元温風口とを備えている。
【０００３】
このような公知の装置は、主に、強制換気装置とも呼ばれる換気装置を含み、この装置には、車室の外部から取り出した外気、または車室の内部から取り出した再循環空気が供給されて、強制空気流を発生する。次いで、この強制空気流は、１つまたは複数の熱交換器により処理され、温度調節された空気流を発生する。
【０００４】
一般に、熱交換器は、空調回路に接続されるエバポレータと、冷却液が通る暖房ラジエータとを有する。冷却液は、一般に、車両エンジンを冷却する液体である。また、場合によっては、付加的な電気ラジエータを設けることもある。このように処理された空気流は、その後、分配手段により、様々な出口、すなわち、フロントガラスの下部に通じる霜取り口または曇り取り口、車両のダッシュボード位置に通じる通風口、および車両の下部に通じる足元暖房口に向かって送られる。
【０００５】
公知の装置の大部分は、熱交換器と、温度調節される空気流を得るために、調整した割合で、冷気流と暖気流とを混合する混合チャンバと、車室に通じる様々な出口に、この空気流を分配する分配手段とを備えている。
【０００６】
これらの公知の装置は、一般に、車室の中央位置に配置されており、フロアとダッシュボードとの間にあるコンソールを、少なくとも部分的に占めている。換気装置は、中央位置または側面位置に置くことができる。このような公知の装置は、車両の現在の設計に適合している。と言うのは、車両は、前述のように、装置の構成部品の大部分を収容しうるコンソールを有するからである。
【０００７】
ところで、車両の設計は日々変化しており、現在は、コンソールを備えない車両を指向する傾向がある。このような状況の下で、車室の中央部に設置された、高さのある装置を設計することは、もはや論外である。
【発明の開示】
【発明が解決しようとする課題】
【０００８】
本発明は、上記の欠点を克服することを目的としている。
【０００９】
すなわち、本発明の目的は、主にコンソールを備えない現行設計の車両に設置可能な、自動車の車室用暖房、換気、または空調装置を提供することにある。
【００１０】
また本発明の別の目的は、小型であり、かつ十分な性能を有するこのような装置を提供することにある。
【課題を解決するための手段】
【００１１】
この目的のため、本発明は、実質的に同じ水平レベルに設けられた複数モジュールからなり、
−強制空気流を発生する少なくとも１つの換気モジュールと、
−車室の中央領域に設けられ、強制空気用の空気の入口と、空気流が通過可能な熱交換器と、少なくとも１つの側面の空気出口とを有する、少なくとも１つの熱モジュールと、
−熱モジュールの側面の空気出口に接続された入口を有し、車室の選択された領域に通じる空気出口に空気流を分配する分配手段を有する、少なくとも１つの分配モジュールとからなる、上記の装置を提案するものである。
【００１２】
従って、本発明の装置は、ほぼ水平面の小空間内に取付可能である。
【００１３】
そのため、本発明の装置は、実質的に同じ水平レベルに設けられた複数モジュールからなり、従って、センタコンソールを備えない車両に取付可能である。
【００１４】
熱交換器を含む熱モジュールは、車室の中央領域ではあるが、従来はコンソールが占有していた場所の上に設けられる。熱モジュールは、同じ面に配置されている少なくとも１つの換気モジュールにより供給される。換気モジュールは、ほぼ同じ水平面で、熱モジュールの側に配置されている少なくとも１つの分配モジュールを有する。このような１つまたは複数の分配モジュールは、様々な出口に空気流を配分する分配手段を備えている。
【００１５】
好適な実施形態では、熱モジュールは、それぞれ右側と左側に通じる２個の側面空気出口を有し、本装置は、熱モジュールの右側と左側に設置される２個の分配モジュールを有し、各分配モジュールは、熱モジュールの側面の空気出口に接続される入口を有する。
【００１６】
同一の水平面に設けられた複数のモジュールからなるこの設計から、車両のほぼ横方向（Ｙ軸）に設置される装置が得られる。換気モジュールは、熱モジュールの側で、車両の横方向（Ｙ軸）に配置されるか、または車両の長手方向（Ｘ軸）に配置される。
【００１７】
換気モジュールは、外気用または再循環空気用の空気の入口ブロックと、強制空気流を発生するタービンと、熱モジュールの入口に強制空気流を導く出口管とを備えていると有利である。
【００１８】
本発明の好適な実施形態では、熱モジュールの入口は下部に配置され、熱モジュールは、下から上に連続して、空調エバポレータと、少なくとも１つの暖房ラジエータとを有する。
【００１９】
好適には、熱モジュールは、エバポレータの上に配置されて、高温の冷却液が流れる第１の暖房ラジエータと、第１の暖房ラジエータの上に配置された電気式の第２の暖房ラジエータとを有する。
【００２０】
エバポレータおよび暖房ラジエータは、それぞれ、水平位置に対して、０°〜９０°の傾斜面にある。エバポレータは、水平位置に対して２０°〜４０°の傾斜面にあるのが好ましい。しかし、他の配向も可能である。
【００２１】
本発明の第１の実施形態では、装置は、暖房ラジエータを通過した高温の空気流と、暖房ラジエータを迂回した低温の空気流とを、可変の割合で混合して得られる温度調節空気流を発生する調整手段を備えている。これにより、「空気混合」と呼ばれる調整が得られる。
【００２２】
この場合、これらの暖房手段は、右側と左側に、それぞれ、暖房ラジエータの一部を通過した高温空気用の側管と、高温空気用の側管から分岐した低温空気用の側管と、高温空気用の側管に高温空気流を、また低温空気用の側管に低温空気流を可変の割合で分配する側面の混合バルブとを有し、高温空気用の側管および低温空気用の側管が、一緒に熱モジュールの側面出口を形成していると有利である。
【００２３】
換言すれば、この場合、それぞれ右側と左側に、熱モジュールの側面出口に送られる温度調節空気流を発生するための空気混合器が形成されている。
【００２４】
この実施形態において、側面の各混合バルブは、熱モジュールに設けられるか、あるいは、熱モジュールに対して、右側または左側に配置された分配モジュールに設けられる。
【００２５】
本発明のこの第１の実施形態においては、調整手段は、さらに、暖房ラジエータの一部を通過した高温空気用の中央管と、高温空気用の中央管から分岐した低温空気用の中央管と、高温空気用の中央管に向かう空気流と低温空気用の中央管に向かう空気流とを可変の割合で配分する中央の混合バルブとを有し、２個の中央管は、熱モジュールの中央出口を形成し、この中央出口は、車室後方に温度調節空気流を分配する少なくとも１つの別の分配モジュールを形成するようにしてある。
【００２６】
この場合、中央の混合バルブは、熱モジュールに設けられるか、または別の分配モジュールに設けられる。
【００２７】
調整手段は、さらに、車室前方を供給する熱モジュールの１つ、または複数の側面出口に温度調節空気流を送る第１の位置と、車室後方を供給する熱モジュールの中央出口に温度調節空気流を送る第２の位置との間を移動可能な配分バルブを備えていると有利である。
【００２８】
本発明の第２の実施形態では、この装置は、温度調節空気流を発生するために、暖房ラジエータを通過した冷却液の流量、従って冷却液の温度に作用する調整手段を備えている。この場合、「空気混合」と呼ばれる調整が得られる。
【００２９】
本発明のこの第２の実施形態では、装置は、暖房ラジエータの下流に配置されて、熱モジュールの側面出口にそれぞれ至る２個の側面出口チャンバを備えていると有利である。
【００３０】
さらに、装置は、暖房ラジエータの上流で、右側または左側に設けられた分配モジュールに、熱モジュールから取り出した低温空気流を直接導くための、少なくとも１つの低温空気用の側管を備えている。
【００３１】
さらに、暖房ラジエータの下流に配置されて、熱モジュールの中央出口に至り、車室後方に温度調節空気流を供給するための、少なくとも１つの別の分配モジュールを形成するようになっている、中央出口チャンバを有すると有利である。
【００３２】
さらに、暖房ラジエータの上流に、別の分配モジュールまたは冷却区画に熱モジュールから取り出した低温空気流を直接導くための少なくとも１つの低温空気用の中央管が設けられている。
【００３３】
好適な実施形態では、１つまたは複数の分配モジュールは、それぞれ、車室の下方に通じる下部出口と、フロントガラスの基部に通じる上部出口と、ダッシュボード位置に通じる少なくとも１つの中間出口とを有している。
【００３４】
特に、本発明の装置を構成するモジュールが、車両のクロスビームに組み込まれていると有利である。
【００３５】
単なる例として示す以下の説明では、添付図面を参照する。
【発明を実施するための最良の形態】
【００３６】
まず、自動車の車室の暖房、換気、または空調装置を示す図１〜図３を参照する。符号１０により全体を示されている装置は、主に、実質的に同じ水平レベルに設けられた複数のモジュールからなっている。
【００３７】
図３において、また、車両の一般的な３本の軸、すなわち、縦軸（Ｘ軸）、横軸（Ｙ軸）、および垂直軸（Ｚ軸）を示してある。本発明の装置は、車室の中央領域に設置される熱モジュール１２と、熱モジュールの側に配置される換気モジュール１４と、熱モジュールの右側と左側にそれぞれ位置する２個の分配モジュール１６とを備えている。
【００３８】
図１と図３から分かるように、熱モジュール１２と、換気モジュール１４と、２個の分配モジュール１６は、車両の横方向（Ｙ軸）に沿って、実質的に同じ水平レベルに設置されている。このように、同一水平面に複数のモジュールをまとめてあるため、上下の中央位置の場所があけられ、センタコンソールを備えない車両に装置を取り付けることができる。さらに、特にナビゲーション装置や他の設備のための、ダッシュボード上のスペースが広くなる。
【００３９】
換気モジュール１４は、熱モジュール１２の側で、車両の横方向（Ｙ軸）に配置されている。換気モジュールは、外気または再循環空気が供給される空気の入口ブロック（図１では示さず）と、空気流を濾過するためのフィルタ（図示せず）と、強制空気流を発生するタービン２２とを備えている。
【００４０】
タービン２２は、渦巻状のハウジング２４内に収容され、濾過された強制空気流を、出口管２６を経て、熱モジュール１２の入口２８へ送る。この入口２８は、熱モジュール１２の下部に配置されており、空気は、図１の矢印Ｆ１で示すように、ほぼ垂直の上方向に、熱モジュール１２へ送られる。
【００４１】
熱モジュール１２（図１〜図３）は、ほぼ平行六面体の形のハウジング３０を有し、ハウジング３０の下面には入口２８が設けられている。ハウジング３０には、換気モジュールから送られる空気流を処理するために、複数の熱交換器が収容されている。ハウジング３０は、下から上に連続して、エバポレータ３２と、高温の冷却液が通過する暖房ラジエータ３４（通常は車両エンジンの冷却液）と、電気暖房ラジエータ３６とが収容されている。
【００４２】
図示の例では、エバポレータ３２と２個のラジエータ３４、３６は、ほぼ水平である。しかし、このような設置は限定的なものではない。エバポレータは、水平位置から垂直位置までにわたって選択されたあらゆる位置に配置される。エバポレータの下流に配置されている暖房ラジエータ３４は、エバポレータと平行な位置から、垂直な位置まで、選択されたあらゆる位置に配置される。
【００４３】
任意選択された電気暖房ラジエータ３６は、暖房ラジエータ３４の下流で、好適には暖房ラジエータに対して平行であるか、またはわずかに傾斜している。ラジエータ３６は、正の温度係数を有する抵抗体（ＰＴＣ抵抗とも呼ばれる）を有するのが好ましい。
【００４４】
熱モジュール１２は、さらに、１つまたは複数の暖房ラジエータ３４、３６を通過した高温空気流と、暖房ラジエータを迂回した低温空気流とを、可変の割合で混合 （ミキシング）して、温度調整空気流を発生する調整手段を備えている。
【００４５】
この調整手段は、熱モジュール１２の右側と左側に、暖房ラジエータ３４、３６のそれぞれ半分を通る高温空気用の側面管３８ｄまたは３８ｇと、高温空気用の側面管から分岐した低温空気用の側面管４０ｄまたは４０ｇとを備えている。特に図２から分かるように、ラジエータ３４、３６の水平幅は、エバポレータ３２の水平幅より狭く、２個の側壁４２により画定されるハウジング３０の幅よりも狭い。
【００４６】
ハウジング内には、側面混合バルブ４４ｄまたは４４ｇが設けられ、高温空気用の側面管に高温空気流を、また低温空気管に低温空気流を可変の割合で配分する。熱モジュール１２の各側で、高温空気用の側面管３８ｄ（または３８ｇ）と、低音空気用の側面管４０ｄ（または４０ｇ）とが、一緒に熱モジュールの側面出口４６ｄまたは４６ｇを形成している。
【００４７】
実施例では、側面混合バルブ４４ｄ、４４ｇが、熱モジュール内に設けられ、そのため、熱モジュールは混合機能を内蔵している。最初にエバポレータを通過した空気は、それぞれ、右部分と左部分とに割り当てられる２個の流れに分割される。各部分または半分では、空気流の温度は、低温空気流と高温空気流との可変の割合の混合で調整される。このようにして、２個の分配モジュール１６に送られる空気流の温度を、別々に調整することができる。
【００４８】
実施例では、混合バルブを概略的に示してある。混合バルブは、主に２個のスロットルバルブタイプのバルブを有し、これらのバルブの間に、エバポレータ３２と暖房ラジエータ３４との間に位置する通気調節バルブ４８が延びている。
【００４９】
２個の分配モジュール１６は、それぞれ、熱モジュールの右側と左側に設けられている。分配モジュールは、それぞれ、熱モジュールの側面空気出口４６ｄまたは４６ｇに接続される入口５０を有する。各分配モジュール１６は、車両のダッシュボードの一部をそれぞれ占有する細長いハウジング５２として形成されている。細長いハウジング５２は、複数の空気出口すなわち上向きの出口５４、下向きの出口５６、３個の中間出口、または正面出口５８を供給する内部チャンバを有している。
【００５０】
上向きの出口５４は、フロントガラスの少なくとも１つの霜取りダクト/曇り取りダクトへ供給可能でり、下向きの出口５６は、車室の下部に向かって、少なくとも１つの足元暖房ダクトへ供給可能である。さらに、出口５８は、ほぼ車両のダッシュボードに設けられる換気装置へ供給する。
【００５１】
各分配モジュール１６は、後述する配分手段を有し、車両の一人または複数の乗員の望みに応じて、上記の出口の間で空気流を配分する。
【００５２】
図４は、熱モジュール１２の構成部品を詳しく示す図３と同様の図である。
【００５３】
図６から分かるように、低温空気流Ｆ２と高温空気流Ｆ３との混合は、熱モジュール１２の各側で行われるが、厳密な意味での混合は、各分配モジュール１６にある混合チャンバ６０で実施され、特に各分配モジュールの入口で行われる。
【００５４】
しかし、変形実施形態（図示せず）として、混合機能を全面的に各分配モジュールに移すことができる。この場合、混合バルブは、完全に分配モジュール内に配置されることになる。
【００５５】
図５の断面図では、エバポレータ３２と、２個のラジエータ３４、３６とを示してある。熱モジュール１２のハウジングは、車両のエンジン区画側に配置された前壁６２と、車室側に配置された後壁６４とにより画定されている。調整手段は、ハウジング後方に空気流の一部を配分するために、隔壁６８により画定された高温空気用の中央管６６を有する。さらに、高温空気用の中央管から迂回して、低温空気用の中央管７０が配置されている。
【００５６】
中央の混合バルブ７２は、低温空気流と高温空気流とを調整可能な割合で変化させて、矢印Ｆ４で示すように、管内に送られる温度調整空気流を得ることができるように、ハウジング内に配置されている。これによって、熱モジュールの出口７４へ供給できる。この出口は、車室後方に温度調節空気流を分配するために、少なくとも１つの別の分配モジュール７６（概略的に図示）へ供給する。ここでもまた、この別の分配モジュールのための混合機能を、この分配モジュールに移すことができる。
【００５７】
図５の装置は、さらに、車室前方を供給する熱モジュールの側面出口に向かって温度調節空気流を送るための第１の位置７３ａ（実線で示す）と、車室後方を供給する中央出口７４に向かって温度調節空気流を送るための第２の位置７３ｂ（破線で示す）との間を移動可能な配分バルブ７３を備えている。これにより、車室の前方または後方に、選択的に暖房、換気、または空調機能を及ぼすことができる。
【００５８】
後方の分配モジュールは、換気装置を介して空気を送るために、車両後方に配置された分配口と、下部分配口と、車両の側面ガラスとに空気を分配する。
【００５９】
次に、分配モジュール１６の内部に収容される分配手段の一例を示す図７を参照する。各分配モジュール１６は、分配する空気流のための軸方向の入口８２ｄまたは８２ｇを備える円筒形のハウジング８０ｄまたは８０ｇを有する。各ハウジングの内部には、円筒形のバルブ８３ｄまたは８３ｇが収容され、その環状の位置によって、選択的に３個の出口を開いたり閉じたりすることができる。
【００６０】
これらの出口は、換気装置に向かう出口８４ｄまたは８４ｇと、足元に向かう出口８６ｄまたは８６ｇと、霜取り/曇り取り用のフロントガラスの基部に向かう出口８８ｄまたは８８ｇとを有する。図７の分配手段は、図１〜図３に示したタイプの装置に組み込むことができる。
【００６１】
しかし、図８に示したような本発明の別の実施形態によれば、装置９０に、これらが組み込まれる。装置９０は、図１〜図３の装置１０と類似している。この装置もまた、中央位置に配置された熱モジュール１２と、図７に関して先に述べたように構成されて、右側と左側にそれぞれ設置される２個の分配モジュール１６とを有する。
【００６２】
しかし、上記の第１の実施形態とは違って、ここでは、換気モジュール１４が中央位置を占有している。換気モジュールは、同様に熱モジュール１２の側に配置されるが、車両の長手方向（Ｘ軸）に配置される。換気モジュールは、回転軸が横方向にある二重タービン９２を有する。換気モジュール１４は、エンジン区画、車室、または、この双方の間に配置可能である。
【００６３】
図８では、また、タービンを供給する空気の入口ブロック１８が、フロントガラスの基部前方に配置され、「水分離器」と呼ばれるグリッド（図示せず）の下に配置されていることがわかる。熱モジュールの側面出口は、２個の空気管９４ｄ、９４ｇにより、それぞれ分配モジュール１６に接続されている。
【００６４】
図９の分配モジュール１６は、図３に示したものと類似している。空気を供給される細長いハウジング５２を有し、円筒部分９６には、図７、図８と同様の円筒バルブ（図示せず）が収容されている。このバルブによって、フロントガラスの霜取り/曇り取りダクトを供給する上部の出口５４と、車室の下方に向けられた下部の出口５６と、３個の正面出口５８−１、５８−２、５８−３との間で、空気配分を制御できる。正面出口は、ダッシュボード内に収容される。
【００６５】
上記のバルブは、出口５８−１〜５８−３を制御することはできない。図１０に示すディフューザ９８が、この機能を果たし、出口５８−１〜５８−３と、それぞれ境界面を形成する３個の入口１００−１、１００−２、１００−３を有する。これらのディフューザの各々は、独自の調整手段を有する。ディフューザ９８は、出口ダクト１０２−１、１０２−２、１０２−３を有し、分配モジュール１６のハウジング５２に取り付けられている。
【００６６】
次に、本発明の別の実施形態を概略的に示す図１１、図１２を参照する。この実施形態では、ラジエータ３４を通過する冷却液の流量を変化させることによって、温度調整が得られる。これは、冷却液をラジエータ３４に供給する管路１０６に取り付けられた、少なくとも１つの調整コック１０４の位置調整によって得られる（図１２）。
【００６７】
２個の側面の出口チャンバ１０８は、ラジエータ３４、３６の下流に配置され、２個の分配モジュールのハウジング５２ｇ、５２ｄをそれぞれ供給する。熱モジュール１２は、分配モジュールにそれぞれ割り当てられる２個の暖房ゾーン１１０ｄ、１１０ｇに分割されている。
【００６８】
このタイプの装置では、２個の分配モジュールの各出口に、同じ温度の空気が供給される。この不都合を回避するために、少なくとも１つの低温空気用の側面管１１２ｄ、１１２ｇを設け、暖房ラジエータ３４の空気の上流で、右側または左側に設けられた分配モジュール１６に、熱モジュール１２から取り出した低温空気流を直接導く。これにより、低温によって、中間の空気出口または上方の空気出口へ供給し、温度を層状化することができる。
【００６９】
図１３の変形実施形態では、温度調整は、低温空気流と、ラジエータ３４を通過した高温空気流との混合により得られる。これは、少なくとも１つの調整バルブ４４ｄ、４４ｇ、４８の位置調節によって行われる。装置の他の要素は、図１１、１２に関して先に説明したものと同様である。
【００７０】
この実施形態では、低温空気用の２個の側管１１２ｄ、１１２ｇの寸法が、図１１、１２の実施形態よりも小さくなっている。
【００７１】
これにより、他の２個の低温空気管１１６、１１８のための場所をあけることができ、この２個の管を、たとえば電気部品の冷却、あるいは車両のボトルケースまたはグローブボックスの冷却といった他の機能専用とすることができる。
【００７２】
図１１、図１２の実施形態では、暖房ラジエータの下流に配置されて、熱モジュールの中央出口に至る中央の出口チャンバを設けてある。このチャンバは、車室後方に、少なくとも一つの別の分配モジュールを供給するように構成されている。また、車両後方に配置されたこの別の分配モジュールに、暖房ラジエータの上流で、熱モジュールから取り出した冷気流を直接導くように、冷気用の中央管を設けてもよい。
【００７３】
図１４、図１５の実施形態では、各分配モジュール１６は、図１３と同様のハウジング５２ｄまたは５２ｇを備えている。しかし、各ハウジングは、高温空気管１２２ｄまたは１２２ｇと低温空気管１２４ｄまたは１２４ｇとに分割されている。２個の高温空気管が、暖房ラジエータ３４、３６の出口に接続され、低温空気管は、エバポレータ３２の出口に接続されている。この場合、高温空気と低温空気は、適切なバルブ（図示せず）により、各分配モジュール１６で直接混合される。
【００７４】
次に、図１６、図１７を参照する。この実施形態では、エバポレータの下流に、光触媒反応モジュール１２６が設けられ、エバポレータが発生する臭気を処理している。光触媒反応モジュール１２６は、エバポレータ３２の上に配置されている。
【００７５】
エバポレータを、水平またはほぼ水平とすることによって、エバポレータ１２と暖房ラジエータ３４との間に、光触媒反応モジュール１２６を組み込みやすくなる。図示の例では、エバポレータ３２と光触媒反応モジュール１２６とはともに傾斜し、それぞれ、水平線に対して２０°〜４０°の角度をなしている（図１７）。
【００７６】
上記の実施形態の大部分では、各分配モジュールは、１個の空気管により供給されるので、空気の出口が同じ温度になる。この不都合を回避するために、前述のように、冷気管を付加して、２段階または３段階に温度を変化することができる。また、各空気管を高温空気管と低温空気管とに分割することによって、温度を可及的に一定とすることもできる。
【００７７】
別の解決方法は、各分配モジュール１６の内部か、または、下部の出口（足元の出口）、もしくは上部の出口（霜取り/曇り取り出口）の供給管に、直接、熱源を移して、これらの出口を、換気出口の温度よりも高温に加熱することである。
【００７８】
次に、熱モジュール１２、換気モジュール１４、および２個の分配モジュール１６を、車両のクロスビーム１２８に組み込んだところを示す図１８を参照する。クロスビーム１２８は、少なくとも分配モジュール１６の一部を、直接構成している。分配モジュールは、それぞれカバー１３０を有し、カバーは、後でビーム１２８にはめ込まれて（図１９）、２個のモジュール１６の個々の空気管を閉鎖する。
【００７９】
実質的に同じ水平レベルに、モジュールを配置するという本発明の構成によって、コンソールを備えない自動車への組み込みが容易になる。
【図面の簡単な説明】
【００８０】
【図１】本発明の第１の実施形態によるモジュール構造の装置の概略的な正面図である。
【図２】図１の装置の熱モジュールを示す図である。
【図３】図１の装置の切り欠き斜視図である。
【図４】図１から３の装置の熱モジュールの垂直断面図である。
【図５】図４のＶ−Ｖ線における断面図である。
【図６】図４の熱モジュールの上部における空気循環を概略的に示す図である。
【図７】分配モジュールの一部をなす２個の分配構造部材を示す斜視図である。
【図８】本発明の別の実施形態による装置を示す斜視図である。
【図９】分配モジュールの斜視図である。
【図１０】図９の分配モジュールに取付可能な分配ダクトを示す斜視図である。
【図１１】温度調節空気流が、暖房ラジエータを通過した冷却液の温度調整により得られる、本発明による別の装置の概略的な水平断面図である。
【図１２】図１１のＸＩＩ−ＸＩＩ線における断面図である。
【図１３】変形実施形態における図１１と同様の図である。
【図１４】別の実施形態における熱モジュールの垂直断面図である。
【図１５】図１４のＸＶ−ＸＶ線における断面図である。
【図１６】変形実施形態における図４と同様の断面図である。
【図１７】図１６のＸＶＩＩ−ＸＶＩＩ線における断面図である。
【図１８】分配モジュールのカバー部分を外して、本発明による装置を統合したクロスビームを示す斜視図である。
【図１９】カバー部分を取り付けた、図１８と同様の図である。
【符号の説明】
【００８１】
１２  熱モジュール
１４  換気モジュール
１６  分配モジュール
１８  空気の入口ブロック
２２  タービン
２４  ハウジング
２６  出口管
２８  熱モジュールの入口
３０  ハウジング
３２  熱交換器またはエバポレータ
３４  熱交換器または第１の暖房ラジエータ
３６  熱交換器または第２の暖房ラジエータ
３８ｄ、３８ｇ  高温空気用の側面管
４０ｄ、４０ｇ  低温空気用の側面管
４２  側壁
４４ｄ、４４ｇ  側面の混合バルブ
４６ｄ、４６ｇ  側面空気出口
４８  調整バルブ
５０  入口
５２  細長いハウジング
５４  上方出口
５６  下方出口
５８  中間出口
６０  混合チャンバ
６２  前壁
６６  中央空気管
６８  隔壁
７０  冷気用の中央管
７２  中央の混合バルブ
７３  分配バルブ
７３ａ  第１の位置
７３ｂ  第２の位置
７４  熱モジュールの中央出口
８０ｄ、８０ｇ  円筒ハウジング
８２ｄ、８２ｇ  軸方向の入口
８３ｄ、８３ｇ  円筒バルブ
８４ｄ、８４ｇ  出口
９２  二重タービン
９８  ディフューザ
１００−１、１００−２、１００−３  入口
１０２−１、１０２−２、１０２−３  出口ダクト
１０４  調整手段
１０８ｄ、１０８ｇ  側面出口チャンバ
１１２ｄ、１１２ｇ  冷気用の側面管
１１６、１１８  冷気管
１２２ｄ、１２２ｇ  高温空気管
１２４ｄ、１２４ｇ  冷気管
１２６  光触媒反応モジュール
１３０  カバー
【図１】
0004688790.tif 000002
【図２】
0004688790.tif 000003
【図３】
0004688790.tif 000004
【図４】
0004688790.tif 000005
【図５】
0004688790.tif 000006
【図６】
0004688790.tif 000007
【図７】
0004688790.tif 000008
【図８】
0004688790.tif 000009
【図９】
0004688790.tif 000010
【図１０】
0004688790.tif 000011
【図１１】
0004688790.tif 000012
【図１２】
0004688790.tif 000013
【図１３】
0004688790.tif 000014
【図１４】
0004688790.tif 000015
【図１５】
0004688790.tif 000016
【図１６】
0004688790.tif 000017
【図１７】
0004688790.tif 000018
【図１８】
0004688790.tif 000019
【図１９】
0004688790.tif 000020